(57)【要約】【課題】軽量化された扉体付き移動式間仕切パネルを提供する。【解決手段】天井Ｒに設けられる誘導路３に吊支部材９，９を介して吊支され、該誘導路３に沿って移動可能であり、２本の縦杆２５ａ，２５ｂと、該２本の縦杆２５ａ，２５ｂを連結する連結部材２５ｅと、上方に吊支部材９，９が取付けられている横梁２４ａと、一方の縦杆２５ｂに蝶番５により取付けられている扉体７と、を備える扉体付き移動式間仕切パネル１であって、扉体７の取付けられた縦杆２５ｂは、横梁２４ａに固定されている。【選択図】図８
2020105850.tif 000002
【特許請求の範囲】
【請求項１】
天井に設けられる誘導路に吊支部材を介して吊支され、該誘導路に沿って移動可能であり、２本の縦杆と、該２本の縦杆を連結する連結部材と、上方に前記吊支部材が取付けられている横梁と、一方の前記縦杆に蝶番により取付けられている扉体と、を備える扉体付き移動式間仕切パネルであって、
前記扉体の取付けられた前記縦杆は、前記横梁に固定されていることを特徴とする扉体付き移動式間仕切パネル。
【請求項２】
前記２本の縦杆、前記連結部材及び前記横梁の一部により矩形枠が構成され、前記吊支部材は、前記矩形枠の上方に配設されていることを特徴とする請求項１に記載の扉体付き移動式間仕切パネル。
【請求項３】
前記２本の縦杆及び前記横梁は、角管であることを特徴とする請求項１または２に記載の扉体付き移動式間仕切パネル。
【請求項４】
前記２本の縦杆、前記横梁及び前記連結部材は、溶接により固定されていることを特徴とする請求項１ないし３のいずれかに記載の扉体付き移動式間仕切パネル。
【請求項５】
前記蝶番は、前記扉体の上下方向に沿って配置されていることを特徴とする請求項１ないし４のいずれかに記載の扉体付き移動式間仕切パネル。
【請求項６】
前記横梁の一端側には、連接される間仕切パネルの側部と凹凸嵌合する凹凸嵌合部が備えられており、前記扉体及び前記間仕切パネルはガラスパネルを備えていることを特徴とする請求項１ないし５のいずれかに記載の扉体付き移動式間仕切パネル。
【発明の詳細な説明】
【技術分野】
【０００１】
本発明は、オフィス、会議室、ショールーム、店舗等の室内を仕切って使用するための移動間仕切装置を構成する扉体付き移動式間仕切パネルに関する。
【背景技術】
【０００２】
オフィス、会議室、ショールーム、店舗等の室内は、天井に設けられたレールに吊支され、該レールに沿って移動可能な間仕切パネルを連接して所定の区画に仕切る移動間仕切装置によって、所望の小区画のレイアウトを実現している。このような移動間仕切装置にあっては、所定の位置に扉体付き移動式間仕切パネルが用いられることで、仕切られた２つの空間の間を往来可能にしたものが知られている（特許文献１参照）。
【０００３】
特許文献１に示される扉体付き移動式間仕切パネルは、下端部が連結された２本の縦杆と、上方に吊支部材が取付けられている横梁と、一方の縦杆に蝶番により取付けられている扉体と、該扉体の間口を形成する横桟と、を備えており、扉体が取付けられた縦杆の上端部は、横桟に固定されている。また、扉体付き移動式間仕切パネルは、移動時・立設時に限らず吊支部材によって天井に設けられたレールから吊支されている。
【先行技術文献】
【特許文献】
【０００４】
【特許文献１】実願平１−１２７５１４号（実開平０３−０６６３７６号）のマイクロフィルム（第５，６頁、第１図）
【発明の概要】
【発明が解決しようとする課題】
【０００５】
特許文献１にあっては、扉体が取付けられた縦杆は、横桟に固定されており、扉体の荷重は蝶番を介して当該扉体が取付けられた縦杆にかかり、その荷重は主に当該扉体が取付けられた縦桟の上端部が固定された横桟にかかるため、横桟は荷重に耐え得る強度が必要とされ横桟の構造が大型化し、扉体付き移動式間仕切パネルが重くなる問題がある。
【０００６】
本発明は、このような問題点に着目してなされたもので、軽量化された扉体付き移動式間仕切パネルを提供することを目的とする。
【課題を解決するための手段】
【０００７】
前記課題を解決するために、本発明の扉体付き移動式間仕切パネルは、
天井に設けられる誘導路に吊支部材を介して吊支され、該誘導路に沿って移動可能であり、２本の縦杆と、該２本の縦杆を連結する連結部材と、上方に前記吊支部材が取付けられている横梁と、一方の前記縦杆に蝶番により取付けられている扉体と、を備える扉体付き移動式間仕切パネルであって、
前記扉体の取付けられた前記縦杆は、前記横梁に固定されていることを特徴としている。
この特徴によれば、扉体の取付けられた縦杆は吊支部材が取付けられる強度の高い横梁に固定されているため、扉体が蝶番により取付けられている一方の縦杆に扉体から作用する荷重は主に横梁によって支持されるため、間口を構成する構成物の強度を高める必要がなく、扉体付き移動式間仕切パネルを軽量化することができる。
【０００８】
前記２本の縦杆、前記連結部材及び前記横梁の一部により矩形枠が構成され、前記吊支部材は、前記矩形枠の上方に配設されていることを特徴としている。
この特徴によれば、矩形枠は高い強度を有し、扉体の荷重を支持しながら吊支部材により吊支されているため、横梁を軽量化することができる。
【０００９】
前記２本の縦杆及び前記横梁は、角管であることを特徴としている。
この特徴によれば、矩形枠の強度を高めつつ、軽量化することができる。
【００１０】
前記２本の縦杆、前記横梁及び前記連結部材は、溶接により固定されていることを特徴としている。
この特徴によれば、矩形枠の強度を高めることができる。
【００１１】
前記蝶番は、前記扉体の上下方向に沿って配置されていることを特徴としている。
この特徴によれば、一方の縦杆により扉体を確実に支持することができる。
【００１２】
前記横梁の一端側には、連接される間仕切パネルの側部と凹凸嵌合する凹凸嵌合部が備えられており、前記扉体及び前記間仕切パネルはガラスパネルを備えていることを特徴としている。
この特徴によれば、ガラスパネルを備える扉体付き移動式間仕切パネル及び間仕切パネルに一体感ある印象を与え、美観に優れる。
【図面の簡単な説明】
【００１３】
【図１】本発明の実施例における移動間仕切装置を示す正面図である。
【図２】実施例における移動間仕切装置の間仕切パネルの構造を示す分解斜視図である。
【図３】カバー部材を一部切欠いて扉体付き移動式間仕切パネルの構造を示す分解斜視図である。
【図４】枠体と扉体とを連結するギアヒンジの平断面図であり、（ａ）は閉扉状態、（ｂ）は開扉状態を示す図である。
【図５】枠体骨組とリンク機構とを示す斜視図である。
【図６】枠体骨組とリンク機構とを示す分解斜視図である。
【図７】リンク機構の動作を示す正面図であり、（ａ）は扉体付き移動式間仕切パネルをレールに沿って移動させる際の状態、（ｂ）は扉体付き移動式間仕切パネルを床面に立設させる際の状態を示す図である。
【図８】扉体を支持する縦角管を備える矩形枠が吊支部材によって吊支される状態を示し、（ａ）は上部フレーム及び上部閉塞部材を一部切欠いた正面図、（ｂ）は左側から見た側面図である。
【図９】連接される間仕切パネルの側部と凹凸嵌合する側部カバー部材を示す平断面図である。
【図１０】実施例の変形例であり、扉体を支持する縦角管を備える矩形枠が吊支部材によって吊支される状態を示し、（ａ）は正面図、（ｂ）は左側から見た側面図である。
【発明を実施するための形態】
【００１４】
本発明に係る扉体付き移動式間仕切パネルを実施するための形態を実施例に基づいて以下に説明する。
【実施例】
【００１５】
実施例に係る扉体付き移動式間仕切パネルにつき、図１から図１０を参照して説明する。以下、図１の紙面手前側及び図８（ｂ）の紙面右側を扉体付き移動式間仕切パネルの前方側とし、その前方側から見たときの上下左右方向を基準として説明する。
【００１６】
移動間仕切装置１０は、例えば、オフィス、会議室、ショールーム、店舗等の建物内の室内を所定の区画に仕切るために用いられるものであり、図１に示されるように、本実施例では、扉体付き移動式間仕切パネル１及び複数の間仕切パネル１０１，１０１，…を組み合わせて構成されている。
【００１７】
各扉体付き移動式間仕切パネル１及び複数の間仕切パネル１０１，１０１，…は、室内空間の天井面Ｒ（天井）に設けられるレール３（誘導路）に沿って移動可能な一対の吊支部材９，９により上端が吊支されており、扉体付き移動式間仕切パネル１及び間仕切パネル１０１，１０１，…をレール３に沿って所定の位置まで手動で順次移動させ、扉体付き移動式間仕切パネル１及び間仕切パネル１０１，１０１，…を左右方向（進行方向）に一列に連接させることで天井面Ｒから床面Ｆに亘って室内空間を仕切ることができるようになっている。また、後述する上部閉塞部材１１１，１１１及び下部閉塞部材１１２，１１２がレール３及び床面Ｆに向けて押し付けられることにより音や光の漏れの閉塞性が高められている。
【００１８】
間仕切パネル１０１について、図２を用いて説明する。間仕切パネル１０１は、前後に間隔をおいて対向配置される一対のガラスパネル１０４，１０４と、ガラスパネル１０４，１０４を一体に保持する四方枠形状の枠部材１０５（上部フレーム１０６、縦フレーム１０７，１０７及び下部フレーム１０８）と、上部フレーム１０６及び下部フレーム１０８に収納される上部閉塞部材１１１及び下部閉塞部材１１２と、上部閉塞部材１１１及び下部閉塞部材１１２を進退動作させる図示しない上部進退機構及び下部進退機構と、から主に構成される二重ガラスパネル構造を成し、パネル材として透明のガラスパネル１０４が使用されることにより、間仕切パネル１０１によって仕切られる室内空間の開放感を演出することができるとともに、強度や遮音性に優れている。尚、本実施例では、ガラスパネル１０４，１０４と枠部材１０５とが一体化されてパネル本体１２０を構成しており、上部閉塞部材１１１または下部閉塞部材１１２とそれぞれに対応する各進退機構とが収納されている。さらに尚、ガラスパネル１０４，１０４は、透明度の高いポリカーボネートやアクリル樹脂製を使用してもよい。
【００１９】
枠部材１０５の構造について、図２に示されるように、縦フレーム１０７は、間仕切パネル１０１の上下方向に延びる芯部材１７１が前後面において上下方向に延びる被覆部材１７０に被覆されて構成され、左右方向に厚みを有する板状をなし、ガラスパネル１０４，１０４の間に配設されている。被覆部材１７０は、アルミ合金等の金属製の押出成形品であり、芯部材１７１は、左右方向に厚みを有する鋼製の板材である。
【００２０】
枠部材１０５は、剛性の高い鋼製の上部芯部材１６３と芯部材１７１とがＬ字状に連結されることにより、上部フレーム１０６と縦フレーム１０７との連結構造の構造強度を確保されている。また、ガラスパネル１０４，１０４は図示しない透明な両面テープにより縦フレーム１０７，１０７に固着されており、ガラスパネル１０４，１０４の荷重を上部芯部材１６３，１６３及び芯部材１７１，１７１により支持し、上部芯部材１６３，１６３の上部に取着された吊支部材１０９により間仕切パネル１０１を吊支している。
【００２１】
また、縦フレーム１０７，１０７の左または右側部には、それぞれ側部カバー部材１７６，１７７が取付けられている。隣接した間仕切パネル１０１，１０１が左右方向に連設される際には、側部カバー部材１７６，１７７同士が直接接触するため、ガラスパネル１０４，１０４の左右両側端面を保護できるようになっている。尚、左側の側部カバー部材１７６は、右側に凹む凹嵌合部１７６ａが形成されており、右側の側部カバー部材１７７は、凹嵌合部１７６ａに嵌合可能な形状の凸嵌合部１７７ａが形成されている。
【００２２】
扉体付き移動式間仕切パネル１について説明する。実施例１では扉体付き移動式間仕切パネル１は、壁Ｗ（図１参照）に左右方向に押し当てられた状態で立設して用いられる例について説明している。図３を参照し、扉体付き移動式間仕切パネル１は、倒立Ｌ字状を成す枠体２と、該枠体２に後述するギアヒンジ５（蝶番）によって回動可能に取付けられる扉体７と、を備えている。扉体７は、前後一対のガラスパネル７１，７１と、前後一対のガラスパネル７１，７１を一体に保持する四方枠形状の枠部材７２（上部フレーム７３、縦フレーム７４，７４及び下部フレーム７５）と、を備える二重ガラスパネル構造を成している。上部フレーム７３の上面の右端部には、後述するプレート部材８２（図５，６参照）が嵌入して該プレート部材８２と係合する係合溝７３ａが形成されている。下部フレーム７５には、下部閉塞部材１２と、該下部閉塞部材１２を進退動作させる図示しない下部進退機構とが収納されている。尚、扉体７について間仕切パネル１０１と類似する部材については、特に断らない限り、詳細な説明を省略する。
【００２３】
図４（ａ）に示されるように、ギアヒンジ５は２つのギア付き取付板５１，５１を備え、該２つのギア付き取付板５１，５１はそれぞれ枠体２と扉体７とに固定されている。具体的には、一方のギア付き取付板５１は、スペーサ２６及び被覆部材２７を介して枠体２内側の縦角管２５ｂ（図５参照）に取付けられており、他方のギア付き取付板５１は、第一被覆部材７４ａ、第一芯部材７４ｂ、スペーサ７４ｃ、第二被覆部材７４ｄ及び第二芯部材７４ｅを備える扉体７の縦フレーム７４に取付けられる。ギアヒンジ５は、扉体７の上下端部に亘って上下に延びて配置される長蝶番である（図３参照）。また、扉体７を紙面反時計回りに回動させることで、扉体７が１８０度開扉した状態にできる（図４（ｂ）参照）。尚、ギアヒンジ５以外の形態の蝶番を用いてもよい。
【００２４】
図５を参照して、枠体２は、枠体骨組２３にカバー部材２１（図３参照。）が取付けられて構成されている。枠体骨組２３は略同一平面上に２本略平行して並ぶ横角管２４ａ（横梁），２４ｂと、２本略平行して並ぶ縦角管２５ａ，２５ｂ（縦杆）と、横チャンネル材２５ｅ（連結部材）と、により主に構成される。外側の縦角管２５ａの上端は、上側の横角管２４ａの下面に当接して溶接固定されている。内側の縦角管２５ｂの上端は、上側の横角管２４ａの下面と略直角を成すように当接して溶接固定されている。下側の横角管２４ｂの左端は、内側の縦角管２５ｂの右面と略直角を成すように当接して溶接固定されている。また、内側の縦角管２５ｂには扉体７がギアヒンジ５（図４参照）により取着されている。
【００２５】
図５，６を参照して、２本の横角管２４ａ，２４ｂの間にはスペーサ２４ｃが配置されており、該のスペーサ２４ｃは２本の横角管２４ａ，２４ｂに溶接固定されている。２本の横角管２４ａ，２４ｂの間かつ左右中間には支点部材２４ｄが配置されており、該支点部材２４ｄは２本の横角管２４ａ，２４ｂに溶接固定されている。２本の横角管２４ａ，２４ｂの右端には上下に伸びる角管でできた縦チャンネル材２４ｆの左面と当接して溶接固定されている。２本の縦角管２５ａ，２５ｂの間には３つのガイド部材２５ｃ，２５ｃ，２５ｃと３つのハット部材２５ｄ，２５ｄ，２５ｄとが配置されており、これらの部材は２本の横角管２４ａ，２４ｂに溶接固定されている。２本の縦角管２５ａ，２５ｂの間かつ下端部には、下向きコ字状で頭部に上下に貫通する孔が形成され枠体骨組２３の下端を補強する横チャンネル材２５ｅが溶接固定されている。また、下側の横角管２４ｂの右端部には、上下に貫通するスリット２４ｅが形成されている。
【００２６】
図３に戻って、枠体２の前面、側面及び後面には正面視倒立Ｌ字状のカバー部材２１が図示しない固定手段により枠体骨組２３（図５参照）に固定されている。枠体骨組２３の上側の横角管２４ａの上端には上向きコ字状の上部フレーム６が溶接固定されており、吊支部材９，９が後述する通り上側の横角管２４ａに取付けられている。また、該上部フレーム６には上部閉塞部材１１と、該上部閉塞部材１１を進退動作させる図示しない上部進退機構とが収納されている。また、枠体２の横チャンネル材２５ｅの下端部には下部閉塞部材１３と、該下部閉塞部材１３を進退動作させる図示しない下部進退機構とが収納されている。
【００２７】
図５，６を参照して、枠体骨組２３にはリンク機構８が組込まれており、該リンク機構８は、左右に延び２本の横角管２４ａ，２４ｂの前後外側部にある一対の揺動部材８１，８１と、上下に延び２本の縦角管２５ａ，２５ｂの間かつ前後内側部にあるバー部材８３と、を備える。一対の揺動部材８１，８１は、その左右中間部において支点部材２４ｄに軸支されており、その右端部において正面視略釣鐘型を成すプレート部材８２を前後に延びる軸８２ａによって回動自在に軸支され、その下端は左右方向に揺動可能となっている。プレート部材８２は、下側の横角管２４ｂに形成されたスリット２４ｅに挿通しており、係合溝７３ａ（図３参照）に係合することで扉体７の回動を規制することができる。尚、揺動部材８１は長尺の板状を成す。
【００２８】
バー部材８３は、上部板８４と、中部板８５と、下部棒８６とが連結して構成されている。中部板８５にはリンク機構操作部８７（前面板８７Ａ、回転駆動部８７Ｂ及び後面板８７Ｃ）が装着されており、前面板８７Ａ及び後面板８７Ｃが２本の縦角管２５ａ，２５ｂに固定され、中部板８５に形成された左右方向に長い長孔８５ａにリンク機構操作部８７の突起８７ａが遊嵌されている（図７参照）。下部棒８６の下端部に取着された落とし棒８６ａは、床面Ｆに設置されたフランス落し用の受け具８６ｂに挿入して係合することで、枠体２を床面Ｆに対して安定して固定させることができる。
【００２９】
リンク機構８の動作について説明する。図７（ａ）は、扉体付き移動式間仕切パネル１をレール３に沿って移動させる際の状態を示している。
図示しないクランクハンドルにより回転駆動部８７Ｂの突起８７ａを０時の位置に合わせると、中部板８５が上がり、バー部材８３が一体として上がるため、落とし棒８６ａが受け具８６ｂとの係合状態が解除される。同時に、一対の揺動部材８１，８１の左端部が上がり右端部が下がるため、プレート部材８２が下がり、係合溝７３ａ（図３参照）に係合する。
【００３０】
また、図７（ｂ）は、扉体付き移動式間仕切パネル１を床面Ｆに立設させる際の状態を示している。このとき、扉体付き移動式間仕切パネル１を壁Ｗ（図１参照）に当接するまで移動させた状態で床面Ｆに固定させる。図示しないクランクハンドルにより回転駆動部８７Ｂの突起８７ａを６時の位置に回すと、中部板８５が下がり、バー部材８３が一体として下がるため、落とし棒８６ａが受け具８６ｂに挿入して係合する。同時に、一対の揺動部材８１，８１の左端部が下がり右端部が上がるため、プレート部材８２が上がり、係合溝７３ａ（図３参照）との係合状態が解除される。
【００３１】
図８（ａ）に示されるように、内側の縦角管２５ｂは、後述の通り吊支部材９が取付けられる強度の高い上側の横角管２４ａに固定されていることから、扉体７がギアヒンジ５により取付けられる内側の縦角管２５ｂに扉体７から作用する荷重は主に上側の横角管２４ａによって支持されるため、間口を構成する構成物の強度を高める必要がなく、扉体付き移動式間仕切パネル１を軽量化することができる。また、２本の縦角管２５ａ，２５ｂ、横チャンネル材２５ｅ及び上側の横角管２４ａの一部により矩形枠２０が構成され、吊支部材９は矩形枠２０の上方に後述の通り配設されていることから、矩形枠２０は高い強度を有し、扉体７の荷重を支持しながら吊支部材９により吊支されているため、上側の横角管２４ａを軽量化することができる。
【００３２】
図８（ａ），（ｂ）に示されるように、吊支部材９はその下端ロッド部が上部芯部材６３の上下方向に延びる円筒部に内嵌係合した状態で、該円筒部の貫通孔および下端ロッド部貫通孔にネジ６４を挿通して図示しないナットと螺合させることで、該上部芯部材６３にネジ固定されている。上部芯部材６３は、略直方体の本体部と、該本体部の左右中央かつ上方に向かって延出する円筒部とから構成されている。上部芯部材６３は、上部フレーム６の凹部６５の底に配置されるとともに、上方から下方に開放するハット型を成す金属製の固定具６１が被せられ、固定具６１がネジ６２，６２と図示しないナットにより上部フレーム６及び上側の横角管２４ａにネジ固定されている。さらに、板状を成す補強部材６６は、上部芯部材６３の左右外側からネジ６７で螺合固定されており、補強部材６６の下方の内側は、横角管２４ａの左面または縦チャンネル材２４ｆの右面に溶接固定されている。このようにして、上部芯部材６３は固定具６１を用いて上側の横角管２４ａに連結固定されており、さらに吊支部材９は、上部芯部材６３にネジ固定されることで、上側の横角管２４ａと一体となるように取付固定されている。尚、図８（ａ）の拡大図は、上部フレーム６の一部及び上部閉塞部材１１を省略している。
【００３３】
図９を参照し、扉体付き移動式間仕切パネル１が間仕切パネル１０１と隣接する際（図１参照）、上側の横角管２４ａ（図５参照）の右端側に固定された縦チャンネル材２４ｆに取付固定された側部カバー部材７７（凹凸嵌合部）が間仕切パネル１０１の側部カバー部材１７６と凹凸嵌合する。具体的には図９を参照して、側部カバー部材１７６は右側に凹む凹嵌合部１７６ａが形成されており、側部カバー部材７７は、凹嵌合部１７６ａに嵌合可能な形状の凸嵌合部７７ａが形成されている。また、側部カバー部材１７６の保持溝１７６ｈ，１７６ｈにはゴム等の弾性部材１７６ｆ，１７６ｆが設けられており、隣接する扉体付き移動式間仕切パネル１と間仕切パネル１０１とが左右方向に連設される際には、側部カバー部材１７６の凹嵌合部１７６ａと側部カバー部材７７の凸嵌合部７７ａと嵌合により該弾性部材１７６ｆ，１７６ｆが圧接されて、隣接する扉体付き移動式間仕切パネル１と間仕切パネル１０１との密閉性および遮音性が高められている。尚、隣接した扉体付き移動式間仕切パネル１と間仕切パネル１０１とが左右方向に連設される際には、側部カバー部材１７６，７７同士が直接接触するため、ガラスパネル１０４，４の左右両側端面を保護できるようになっている。
【００３４】
実施例１の変形例について説明する。なお、前記実施例に示される構成部分と同一のものについては、同一符号を付して重複する説明を省略する。図１０を参照して、吊支部材９が溶接固定等により直接上側の横角管２４ａに取付けられていてもよい。尚、枠体２の高さを調整可能にするため、吊支部材９の上下に延びるネジ棒を、横角管２４ａの上部に溶接された図示しないナットに螺着できるようにしてもよい。
【００３５】
以上説明したように、扉体７の取付けられた縦角管２５ｂは、上側の横角管２４ａに固定されている。また、吊支部材９は強度の高い上側の横角管２４ａに固定されている。そのため、扉体７がギアヒンジ５により取付けられている一方の縦角管２５ｂに扉体７から作用する荷重は主に上側の横角管２４ａによって支持される。よって、間口を構成する構成物、例えば下側の横角管２４ｂ等の強度を高める必要がなく、扉体付き移動式間仕切パネル１を軽量化することができる。また、下側の横角管２４ｂ等の強度を高める必要がないためその上下寸法を抑えられ、扉体７のガラスパネル４の面積を上下方向に広く確保できる。
【００３６】
また、２本の縦角管２５ａ，２５ｂ、横チャンネル材２５ｅ及び上側の横角管２４ａの一部により矩形枠２０（図８参照）が構成され矩形枠２０は高い強度を有しているとともに、吊支部材９は、矩形枠２０の上方に配設されていることから、矩形枠２０は扉体７の荷重を支持しながら吊支部材９により吊支されているため、上側の横角管２４ａを軽量化することができる。また、矩形枠２０は強度の高い形状を成しているため、その左右寸法を小さくでき、扉体７のガラスパネル４の面積を左右方向に広く確保できる。
【００３７】
また、２本の縦角管２５ａ，２５ｂ及び上側の横角管２４ａは、角管であるため、矩形枠２０の強度を高めつつ、軽量化することができる。
【００３８】
また、２本の縦角管２５ａ，２５ｂ、上側の横角管２４ａ及び横チャンネル材２５ｅは、溶接により固定されているため、矩形枠２０の強度を高めることができる。
【００３９】
また、ギアヒンジ５は、扉体７の上下方向に沿って配置されているため、内側の縦角管２５ｂにより扉体７を確実に支持することができ、内側の縦角管２５ｂと扉体７との間の隙間を埋めるようにギアヒンジ５を配置できる。
【００４０】
また、上側の横角管２４ａの一端には、連接される間仕切パネル１０１の側部と凹凸嵌合する側部カバー部材７７が備えられており、扉体７及び間仕切パネル１０１はガラスパネル４，１０４を備えているため、ガラスパネル４，１０４を備える扉体付き移動式間仕切パネル１及び間仕切パネル１０１に一体感ある印象を与え、美観に優れる。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、外側の縦角管２５ａの上端は、上側の横角管２４ａの下面に当接して溶接固定されていると説明したが、これに限らず、上側の横角管の左端が、外側の縦角管の右面と略直角を成すように当接して溶接固定されていてもよい。
【００４３】
また、内側の縦角管２５ｂの上端は、上側の横角管２４ａの下面と略直角を成すように当接して溶接固定されていると説明したが、これに限らず、上側の横角管の左端が、内側の縦角管の右面と略直角を成すように当接して溶接固定され、２本の縦杆の間かつ上端部に別途連結部材を設けてもよい。
【００４４】
また、下側の横角管２４ｂの左端は、内側の縦角管２５ｂの右面と略直角を成すように当接して溶接固定されていると説明したが、これに限らず、内側の縦角管の上端が、下側の横角管の下面と略直角を成すように当接して溶接固定されていてもよい。
【００４５】
また、２本の横角管２４ａ，２４ｂの右端には上下に伸びる角管でできた縦チャンネル材２４ｆの左面と当接して溶接固定されていると説明したが、これに限らず、２本の横角管の間かつ右端部にスペーサが配置され、該スペーサが２本の横角管に溶接固定されていてもよい。
【００４６】
また、２本の縦角管２５ａ，２５ｂ、上側の横角管２４ａ及び横チャンネル材２５ｅは、溶接により固定されていると説明したが、これに限らず、例えばボルト及びナットを用いた固定でもよい。
【００４７】
また、扉体付き移動式間仕切パネル１及び間仕切パネル１０１は、ガラスパネル４，１０４を保持すると説明したが、これに限らず、透光性を有さないパネルであってもよい。
【００４８】
また、扉体付き移動式間仕切パネル１及び間仕切パネル１０１は、一対の吊支部材９，９により上端が吊支されると説明したが、これに限らず、１または３つ以上の吊支部材により上端が吊支されていてもよい。
【符号の説明】
【００４９】
１                扉体付き移動式間仕切パネル
２                枠体
３                レール（誘導路）
４                ガラスパネル
５                ギアヒンジ（蝶番）
７                扉体
８                リンク機構
９                吊支部材
１０              移動間仕切装置
２０              矩形枠
２４ａ            横角管（横梁）
２４ｂ            横角管
２５ａ，ｂ        縦角管（縦杆）
２５ｅ            横チャンネル材（連結部材）
７３ａ            係合溝
７７              側部カバー部材（凹凸嵌合部）
８１              揺動部材
８２              プレート部材
８２ａ            軸
８３              バー部材
１０１            間仕切パネル
１０４            ガラスパネル
Ｒ                天井面（天井）
Ｆ                床面
Ｗ                壁
【図１】
2020105850.tif 000003
【図２】
2020105850.tif 000004
【図３】
2020105850.tif 000005
【図４】
2020105850.tif 000006
【図５】
2020105850.tif 000007
【図６】
2020105850.tif 000008
【図７】
2020105850.tif 000009
【図８】
2020105850.tif 000010
【図９】
2020105850.tif 000011
【図１０】
2020105850.tif 000012